(57)【要約】【課題】缶に詰った中身を取出すヘラであって、缶内部の底面と円筒面にヘラ部がフィットする形状として弱固形性材、粘性材、粘性液材等を容易に取出すことができる缶の中身取出しヘラを提供する。【解決手段】缶１１の蓋を開切すると切口１４が円筒１２面より突出している、その切口１４を避けて形成した長方形の板２１の側面２２に溝２５を設け、缶の切口１４の邪魔部を避けたヘラと柄を形成し,ヘラ部が缶内部の底面と円筒面にフィットして、へばり付いた弱固形性材、粘性材、粘性液材等を容易に取出すことができることを特徴とする缶の中身取出しヘラ。【選択図】            図４
2007209463.tif 000002
【特許請求の範囲】
【請求項１】
缶に詰った中身を取出すヘラであって、缶内部の底面と円筒面にヘラ部がフィットする形状で、長方形板の側面に缶の蓋切口の邪魔部を避けて、段を設けたことを特徴とする缶の中身取出しヘラ。
【請求項２】
長方形板の側面に缶の蓋切口の邪魔部を避けて、溝を形成したことを特徴とする缶の中身取出しヘラ。
【請求項３】
前記のヘラの両面がフィットするよう対向に形成したことを特徴とする、請求項1、2、何れか記載の缶の中身取出しヘラ。
【請求項４】
前記のヘラに中子を設け、柄に差込み形成したことを特徴とする、請求項1〜３何れか記載の缶の中身取出しヘラ。
【請求項５】
前記のヘラに食材を用いて形成し固形化したことを特徴とする、請求項1〜３何れか記載の缶の食材取出しヘラ。
【発明の詳細な説明】
【技術分野】
【０００１】
本発明は、缶に詰った弱固形性材、粘性材、粘性液材等がある、これ等を容易に缶より拭い取出すことができる缶の中身取出しヘラに関するものである。
【背景技術】
【０００２】
従来の瓶や缶の中身を取出すヘラは、柄の先に弾性なヘラを用いて構成されたものがある（例えば、特許文献１参照。）。
また、板厚の基部にヘラ部を挟んで構成された缶拭き取り用ヘラがある（例えば、特許文献２参照。）。      
【０００３】
【特許文献１】特開平１１−１６９３０７号公報
【特許文献２】特開平２０００−３１８３９８号公報
【発明の開示】
【発明が解決しようとする課題】
【０００４】
以上に述べた従来の特許文献１では、瓶や缶の内部に付着したジャムやソース類等の粘性調理材を拭い取るスクレッパーで、材質的に弾性なヘラを使用している、弾性なヘラで缶に詰った弱固形性食材や粘性調理材を拭い取出すことは無理で、何故ならば缶蓋部の切口でヘラを傷めるため、缶での使用は不向きではないかと思案する。
【０００５】
特許文献２では、明細書の記載から明らかなように、板厚の基部にヘラ部を挟んだ形状のため基部とヘラ部に段が生じている。
尚、そのヘラで中身を取出す際に基部まで中身に浸かる構造であり、中身の粘性な液材が基部の段に付着するなど、ヘラ清掃に二重の手間が掛かるものと思案する。
【０００６】
従って、犬や猫を飼っている家庭では、餌である空き缶が溜まり長期間に渡って放置することが多々ある、そこで粘性液材が残っている空き缶が、臭いを発し蛆虫や小ハエが涌くなどの不衛生な面があった。
ペンキ等の缶残液処理が不十分であることは、産業廃棄物や環境問題で済まされない大きな課題を残すものである。
本発明は、従来缶の中身を取出す完全な用具がなく、これらの問題点を解決するためになされたものである。
【課題を解決するための手段】
【０００７】
缶に詰った弱固形性材、粘性材、粘性液材等を容易に取出し、ヘラ面が缶内部の底面と円筒面にフィットして、へばり付いた中身の粘性な液材等を容易に拭い取出すことが可能である。      
従って、形状が簡単で容易に使用できる缶の中身取出しヘラを完成させた。
【０００８】
本願請求項1に係るヘラは、缶に詰った中身を取出すヘラであって、缶内部の底面と円筒面にヘラ部がする形状で、長方形板の側面に缶の蓋切口の邪魔部を避けて、段を設けたことを特徴とするフィット缶の中身取出しヘラ。
本願請求項２に係るヘラは、長方形板の側面に缶の蓋切口の邪魔部を避けて、溝を形成したことを特徴とする缶の中身取出しヘラ。本願請求項３に係るヘラは、前記のヘラの両面がフィットするよう対向に形成したことを特徴とする、請求項1、2、何れか記載の缶の中身取出しヘラ。
本願請求項４に係るヘラは、前記のヘラに中子を設け、柄に差込み形成したことを特徴とする、請求項1〜３何れか記載の缶の中身取出しヘラ。
本願請求項５に係るヘラは、前記のヘラに食材を用いて形成し固形化したことを特徴とする、請求項1〜３何れか記載の缶の中身取出しヘラ。
【発明の効果】
【０００９】
（１）上述べしたように本発明のヘラは、缶に詰った弱固形性材、粘性材、粘性液材等でも容易に取出しができる。
（２）ヘラと柄の側面に、缶の蓋切口の邪魔部を避けたことで缶内部の底面と円筒面にヘラ部分がフィットして、缶の内部にへばり付いた中身の粘性液材等を容易に拭い取出すことができる。
（３）中身を取出すヘラを板形状にしたことで、中身を移す容器の縁にヘラの平面部を当て拭い取り、ヘラにへばり付いた粘性材等の粗清掃ができて後処理が容易である。
（４）本願請求項５に係るヘラは、犬の食材で形成し固形化した缶の食材取出しヘラであるが、上記ヘラと同じ効果を発揮して、使用後のヘラは犬の餌として与えることができるヘラである。
以上の効果を発揮する、形状が簡単な缶の中身取出しヘラを提供できる。
【発明を実施するための最良の形態】
【００１０】
以下、本発明の実施の形態を図１〜図１０に基づいて説明する。
【実施例１】
【００１１】
図1に示す実施例1は、缶１１の中身を取出すヘラでる長方形の板２１の側面２２部に缶の蓋切口１４の邪魔部を避けた段２４を設け、缶内部の底１３面と円筒１２面にヘラ２１がフィットして、へばり付いた中身を取出している使用状態を示す。
図2は、図1のＡ部の拡大断面図で缶の蓋切口の邪魔部を説明する、缶の蓋を開切すると切口１４が円筒１２面より突出している、その切口１４を避けて形成した長方形の板２１の側面２２に段２４を設け、缶の切口１４邪魔部を避けて柄２３を形成した。
図３は段を形成したヘラの斜視図で、長方形の板２１の側面２２に段２４を設けヘラ部と柄の部を形成した缶の中身取出しヘラである。
【００１２】
ヘラの材質は木板の長方形で、寸法は全長２００mm、厚さ３mm、幅は30mm、段の位置はヘラ先端より缶の内寸マイナス２mmとして，缶の邪魔部を避けた段差は８mm、段の交わり部に３Ｒの円弧を設け、中身が付着した清掃を容易にした交わり部の円弧で、他の外部の角部は、ヘラ部０.５Ｒ柄の端部３Ｒの円弧として完成させたが、ヘラ部の長さは缶の各々円筒長さによって定めるものである。
【００１３】
請求項1〜４記載の発明においての材質は、樹脂製、木製、紙製、金属製、何れでも容易に生産することが可能である、尚、犬の食材で形成し固形化した缶の食材取出しヘラを生産することも可能である。
ヘラである段差の略位置より、又は、溝部の略位置より、板の平面部を先端に向けて傾斜を設け先端を薄くしたもの、又、ヘラの横断面の形状は、菱形、円弧形、何れでも良いことは勿論である。
以上を特徴とする缶の中身取出しヘラである。
【実施例２】
【００１４】
図４に示す実施例２は、溝２５部を設けたヘラ２１であり、他の符号・構成や作用・効果は前記実施例1の図１と共通するので記載は省略する。
図５は、図４のＡ部の拡大断面図で、長方形の板２１の側面２２に、缶の蓋切口１４の邪魔部を避けた溝２５を設け、ヘラと柄を形成したものである。
図６は溝を形成したヘラの斜視図で、長方形の板２１の側面２２に溝２５を設けヘラ部と柄の部を形成した缶の中身取出しヘラである。
【実施例３】
【００１５】
図７図８に示す実施例３は、図３図６のヘラ２１を対向形状にして、ヘラ部の両面が使用でき、柄の握り部に安定を持たすことができる。
その他の符号・構成や作用・効果は前記実施例1と共通するので記載は省略する。
【実施例４】
【００１６】
前記のヘラ２１に中子２６を設けて柄２３に差し込んで螺子２７固定として形成した。
尚、金属製のヘラに中子を設け、柄となる部分と樹脂インジェクション成型した生産も可能である。
その他の符号・構成や作用・効果は前記実施例1と共通するので記載は省略する。
【図面の簡単な説明】
【００１７】
【図１】実施例1の缶とヘラの使用状態を示す一部を切り欠いた縦断面図。
【図２】図1のＡ部の拡大断面図。
【図３】段を形成したヘラの斜視図。
【図４】実施例2の缶とヘラの使用状態を示す一部を切り欠いた縦断面図。
【図５】図4のＢ部の拡大断面図。
【図６】溝を形成したヘラの斜視図。
【図７】実施例3の段を設けた対向ヘラの形状斜視図。
【図８】実施例３の溝を設けた対向ヘラの形状斜視図。
【図９】実施例4の柄付きヘラの一部を切り欠いた平面面図。
【図１０】図９のＣ〜Ｃ'拡大断面図
【符号の説明】
【００１８】
１１       缶
１２       円筒
１３       底
１４       切口
２１     （板） ヘラ
２２       側面
２３       柄
２４       段
２５       溝
２６       中子
２７       螺子
【図１】
2007209463.tif 000003
【図２】
2007209463.tif 000004
【図３】
2007209463.tif 000005
【図４】
2007209463.tif 000006
【図５】
2007209463.tif 000007
【図６】
2007209463.tif 000008
【図７】
2007209463.tif 000009
【図８】
2007209463.tif 000010
【図９】
2007209463.tif 000011
【図１０】
2007209463.tif 000012